【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
入力映像信号の輝度に基づき階調補正に用いる画像処理パラメータを動的に切り替える画像処理装置であって、
入力映像信号のフレーム毎に、そのフレームの輝度を表す輝度特徴量を検出する輝度特徴量検出手段と、
複数のフレームの輝度特徴量から、フレームの輝度が単調に増加または減少するフェードシーンの期間を検出するフェードシーン検出手段と、
フェードシーンの期間の最初と最後のフレームに適用する画像処理パラメータをそれぞれのフレームの輝度特徴量から決定し、前記最初と最後のフレームの間にある複数のフレームに適用する画像処理パラメータを前記最初のフレームに適用する画像処理パラメータから前記最後のフレームに適用する画像処理パラメータへと徐々に変化するように決定する決定手段と、
フェードシーンの期間内のフレームを前記決定手段で決定された画像処理パラメータを用いて階調補正する補正手段と、
を有することを特徴とする画像処理装置。
【請求項２】
前記決定手段は、前記最初と最後のフレームの間にあるフレームに適用する画像処理パラメータを、そのフレームの輝度特徴量から決定される画像処理パラメータと、前記最初のフレームから前記最後のフレームまで画像処理パラメータが線形に変化すると仮定した場合の画像処理パラメータとの間の値をとるように、決定する
ことを特徴する請求項１に記載の画像処理装置。
【請求項３】
フェードシーンの検出のために所定数のフレームを記憶可能なバッファメモリを有しており、
入力映像信号の先頭フレームの入力が開始されてから前記バッファメモリに前記所定数のフレームが蓄積されるよりも前に、前記フェードシーン検出手段により最初のフェードシーンの期間が検出された場合は、前記最初のフェードシーンの期間が検出されたタイミングで各フレームを階調補正して出力する処理が開始される
ことを特徴とする請求項１または２に記載の画像処理装置。
【請求項４】
前記フェードシーン検出手段は、
フレームの輝度特徴量から、１つ後のフレームの輝度特徴量を減算した値が第１の閾値以上第２の閾値以下であるフレームが所定数以上連続する場合に、当該所定数以上のフレームの期間を、フレームの輝度が単調に減少するフェードシーンの期間であると判断し、
フレームの輝度特徴量を、１つ後のフレームの輝度特徴量から減算した値が第３の閾値以上第４の閾値以下であるフレームが所定数以上連続する場合に、当該所定数以上のフレームの期間を、フレームの輝度が単調に増加するフェードシーンの期間であると判断する
ことを特徴とする請求項１〜３のいずれか１項に記載の画像処理装置。
【請求項５】
前記決定手段は、
フェードシーンの期間の最初のフレームに対して、そのフレームの輝度特徴量からブレンド率を決定し、決定したブレンド率で第１の画像処理パラメータと第２の画像処理パラメータをブレンドすることにより画像処理パラメータを決定し、
フェードシーンの期間の最後のフレームに対して、そのフレームの輝度特徴量からブレンド率を決定し、決定したブレンド率で前記第１の画像処理パラメータと前記第２の画像処理パラメータをブレンドすることにより画像処理パラメータを決定し、
前記最初と最後のフレームの間にある複数のフレームのそれぞれに対して、前記最初のフレームに対して決定されたブレンド率から前記最後のフレームに対して決定されたブレンド率へと徐々に変化するようにブレンド率を決定し、決定したブレンド率で前記第１の画像処理パラメータと前記第２の画像処理パラメータをブレンドすることにより画像処理パラメータを決定する
ことを特徴とする請求項１〜４のいずれか１項に記載の画像処理装置。
【請求項６】
入力映像信号の輝度に基づき階調補正に用いる画像処理パラメータを動的に切り替える画像処理装置によって実行される画像処理方法であって、
入力映像信号のフレーム毎に、そのフレームの輝度を表す輝度特徴量を検出する輝度特徴量検出ステップと、
複数のフレームの輝度特徴量から、フレームの輝度が単調に増加または減少するフェードシーンの期間を検出するフェードシーン検出ステップと、
フェードシーンの期間の最初と最後のフレームに適用する画像処理パラメータをそれぞれのフレームの輝度特徴量から決定し、前記最初と最後のフレームの間にある複数のフレームに適用する画像処理パラメータを前記最初のフレームに適用する画像処理パラメータから前記最後のフレームに適用する画像処理パラメータへと徐々に変化するように決定する決定ステップと、
フェードシーンの期間内のフレームを前記決定ステップで決定された画像処理パラメータを用いて階調補正する補正ステップと、
を有することを特徴とする画像処理方法。
【請求項７】
前記決定ステップでは、前記最初と最後のフレームの間にあるフレームに適用する画像処理パラメータを、そのフレームの輝度特徴量から決定される画像処理パラメータと、前記最初のフレームから前記最後のフレームまで画像処理パラメータが線形に変化すると仮定した場合の画像処理パラメータとの間の値をとるように、決定する
ことを特徴する請求項６に記載の画像処理方法。
【請求項８】
前記画像処理装置は、フェードシーンの検出のために所定数のフレームを記憶可能なバッファメモリを有しており、
入力映像信号の先頭フレームの入力が開始されてから前記バッファメモリに前記所定数のフレームが蓄積されるよりも前に、前記フェードシーン検出ステップで最初のフェードシーンの期間が検出された場合は、前記最初のフェードシーンの期間が検出されたタイミ
ングで各フレームを階調補正して出力する処理が開始される
ことを特徴とする請求項６または７に記載の画像処理方法。
【請求項９】
前記フェードシーン検出ステップでは、
フレームの輝度特徴量から、１つ後のフレームの輝度特徴量を減算した値が第１の閾値以上第２の閾値以下であるフレームが所定数以上連続する場合に、当該所定数以上のフレームの期間を、フレームの輝度が単調に減少するフェードシーンの期間であると判断し、
フレームの輝度特徴量を、１つ後のフレームの輝度特徴量から減算した値が第３の閾値以上第４の閾値以下であるフレームが所定数以上連続する場合に、当該所定数以上のフレームの期間を、フレームの輝度が単調に増加するフェードシーンの期間であると判断する
ことを特徴とする請求項６〜８のいずれか１項に記載の画像処理方法。
【請求項１０】
前記決定ステップでは、
フェードシーンの期間の最初のフレームに対して、そのフレームの輝度特徴量からブレンド率を決定し、決定したブレンド率で第１の画像処理パラメータと第２の画像処理パラメータをブレンドすることにより画像処理パラメータを決定し、
フェードシーンの期間の最後のフレームに対して、そのフレームの輝度特徴量からブレンド率を決定し、決定したブレンド率で前記第１の画像処理パラメータと前記第２の画像処理パラメータをブレンドすることにより画像処理パラメータを決定し、
前記最初と最後のフレームの間にある複数のフレームのそれぞれに対して、前記最初のフレームに対して決定されたブレンド率から前記最後のフレームに対して決定されたブレンド率へと徐々に変化するようにブレンド率を決定し、決定したブレンド率で前記第１の画像処理パラメータと前記第２の画像処理パラメータをブレンドすることにより画像処理パラメータを決定する
ことを特徴とする請求項６〜９のいずれか１項に記載の画像処理方法。